(57)【要約】【課題】デジタルカメラのイメージセンサが進歩し、画素数が飛躍的に増大するのに伴い、撮影データの処理量が増えるためカメラの消費電力が増え、大きな電池容量が必要となるので、必然的にカメラは重くなる。また、画質や望遠をよくするためには光学系も大きくなるのでカメラの筺体を大きくしなければならない。アミューズメントパークなどの施設内では、ユーザが持ち歩く時間が長いので、重くて大きなカメラはとても邪魔になる。【解決手段】カメラを施設内の撮影スポットに設置し、カメラに、ユーザが携帯する携帯装置と無線通信する手段を設け、撮影した画像データを携帯装置内の記録媒体もしくはカメラとネットワークで接続されたサーバに保存する。【選択図】　図１
2004096270.tif 000002
【特許請求の範囲】
【請求項１】
携帯装置とカメラとを備える撮像システムであって、
該携帯装置は、該カメラで撮像した画像データを受信する受信手段、該受信した画像データを記憶媒体に書き込む書き込み手段、該携帯装置を特定するＩＤを記憶する記憶手段、および該カメラに該ＩＤを送信する送信手段を備え、
該カメラは、該携帯装置から該ＩＤを受信する受信手段、該ＩＤを受信すると撮像を開始する撮像手段、および撮像した画像データを該携帯装置に送信する送信手段を備えること
を特徴とする撮像システム。
【請求項２】
請求項１において、
サーバを設け、
前記カメラの前記送信手段は、前記撮像した画像データと前記ＩＤとを該サーバに送信し、
該サーバは、前記カメラから送信された前記画像データと前記ＩＤとを受信し、関連付けて記憶すること、
を特徴とする撮像システム。
【請求項３】
請求項２において、
端末装置を設け、
該端末装置は、前記携帯装置を特定するＩＤを入力する入力手段、該入力されたＩＤを前記サーバへ送信し前記サーバから画像データを受信する送受信手段、および該受信した画像データを出力する出力手段を備え、
前記サーバは、該端末装置から前記携帯装置を特定するＩＤを受信し、画像データを該端末装置へ送信する送受信手段、および該受信したＩＤをもとに画像データを検索する検索手段を備えること
を特徴とする撮像システム。
【請求項４】
請求項２において、
前記サーバは、ネットワークを介して接続されたコンピュータから前記ＩＤおよび前記ＩＤに対応するパスワードを受信し、前記ＩＤに対応する前記画像データを該ネットワークを通して該コンピュータへ送信する送受信手段、前記ＩＤと該パスワードを解析し、前記ＩＤに対応する前記画像データを送信するか否かを判断する解析手段を備えること
を特徴とする撮像システム。
【請求項５】
請求項２において、
前記カメラは、前記撮像した画像データの解像度を低くした別の画像データを生成する手段を備え、前記サーバへは前記撮像した画像データを送信し、前記携帯装置へは該解像度を低くした別の画像データを送信すること
を特徴とする撮像システム。
【請求項６】
携帯装置とカメラとサーバとを備える撮像システムであって、
該携帯装置は、該携帯装置を特定するＩＤを記憶する記憶手段、および該カメラに該ＩＤを送信する送信手段を備え、
該カメラは、該携帯装置から該ＩＤを受信する受信手段、該ＩＤを受信すると撮像を開始する撮像手段、および該ＩＤと該撮像した画像データとを該サーバに送信する送信手段を備え、
該サーバは、該カメラから該ＩＤと該画像データとを受信する受信手段、該ＩＤと該ＩＤに対応する該画像データの転送先を示す情報とを記憶する記憶手段、および該転送先に該受信した画像データを転送する転送手段を備えること、
を特徴とする撮像システム。
【請求項７】
請求項６において、
前記カメラは、前記画像データを記憶する記憶手段を備え、前記画像データを前記サーバに送信する前に該記憶手段に記憶し、前記サーバからの送信許可を受けた後に前記画像データを前記サーバに送信し、
前記サーバは、所定の条件に応じて前記カメラに該送信許可を出すこと、
を特徴とする撮像システム。
【請求項８】
請求項１乃至７のいずれかにおいて、
前記携帯装置は、撮像するタイミングを指示するシャッタ手段を備え、該シャッタ手段による撮像の指示に応じて前記ＩＤを前記カメラに送信することを特徴とする撮像システム。
【請求項９】
請求項１乃至７のいずれかにおいて、
前記携帯装置は、一定時間間隔で前記ＩＤを前記カメラに送信することを特徴とする撮像システム。
【請求項１０】
携帯装置とカメラとを備える撮像システムにおける該携帯装置であって、
該携帯装置を特定するＩＤを記憶する記憶手段と、
該カメラに該ＩＤを送信する送信手段と、
該カメラにて該ＩＤに応じて撮像された画像データを受信する受信手段と、
該受信した画像データを記憶媒体に書き込む書き込み手段と、
を備えることを特徴とする携帯装置。
【請求項１１】
携帯装置とカメラとを備える撮像システムにおける該カメラであって、
該携帯装置から該携帯装置を特定するＩＤを受信する受信手段と、
該ＩＤを受信すると撮像を開始する撮像手段と、
撮像した画像データを該携帯装置が記憶媒体に書き込むように、該撮像した画像データを該携帯装置に送信する送信手段と、
を備えることを特徴とするカメラ。
【請求項１２】
携帯装置とカメラとサーバとを備える撮像システムにおける該サーバであって、
該カメラから送信された、該携帯装置から受信した該携帯装置を特定するＩＤに応じて該カメラが撮像した画像データと該ＩＤとを受信する受信手段と、
該ＩＤと該ＩＤに対応する該画像データの転送先を示す情報とを記憶する記憶手段と、
該転送先に該受信した画像データを転送する転送手段と、
を備えることを特徴とするサーバ。
【請求項１３】
携帯装置とカメラとを備える撮像システムにおける撮像方法であって、
該カメラが、該携帯装置から該携帯装置を特定するＩＤを受信するステップと、
該カメラが、該ＩＤを受信すると撮像を開始するステップと、
該カメラが、撮像した画像データを該携帯装置が記憶媒体に書き込むように、該撮像した画像データを該携帯装置に送信するステップと、
を備えることを特徴とする撮像方法。
【請求項１４】
携帯装置とカメラとサーバとを備える撮像システムにおける撮像方法であって、
該カメラが、該携帯装置から該携帯装置を特定するＩＤを受信するステップと、
該カメラが、該ＩＤを受信すると撮像を開始するステップと、
該カメラが、撮像した画像データを該携帯装置が記憶媒体に書き込むように、該撮像した画像データを該携帯装置に送信するステップと、
該カメラが、該撮像した画像データと該ＩＤとを該サーバに送信するステップと、
該サーバが、該カメラから送信された該画像データと該ＩＤとを受信するステップと、
該サーバが、該受信した該画像データと該ＩＤとを関連付けて記憶するステップと、
を備えることを特徴とする撮像方法。
【請求項１５】
携帯装置とカメラとサーバとを備える撮像システムにおける撮像方法であって、
該カメラが、該携帯装置から該携帯装置を特定するＩＤを受信するステップと、
該カメラが、該ＩＤを受信すると撮像を開始するステップと、
該カメラが、該撮像した画像データと該ＩＤとを該サーバに送信するステップと、
該サーバが、該カメラから送信された該画像データと該ＩＤとを受信するステップと、
該サーバが、該受信した画像データを、該受信したＩＤに対応する転送先に転送するステップと、
を備えることを特徴とする撮像方法。
【発明の詳細な説明】
【０００１】
【発明の属する技術分野】
本発明は、撮像手段と操作手段とを分離した撮像システムに関する。
【０００２】
【従来の技術】
本技術分野の従来技術として例えば特開２０００−０２３０１５号公報に記載の技術がある。この公報に記載の技術は「カメラを多数のユーザが共用して使用でき、撮影操作も簡単でユーザ毎の画像情報管理を簡略化することができる電子カメラシステムを提供する」ことを課題とする。そして「予め定められた場所にカメラ装置を設置すると共に、該カメラ装置に撮影開始信号を与えるリモコン装置を複数台用意する。各リモコン装置には個別の識別符号が割り当てられ、該識別符号を示すＩＤ情報を撮影開始信号に付加して発信するＩＤ情報発信手段が設けられる。カメラ装置はリモコン装置からの信号を受信して撮影動作を行うが、この時撮影開始信号と共に受信したＩＤ情報を、取り込んだ画像情報に付加して記憶部に記録する。カメラ装置で取得した画像情報はデータサーバーに転送され、ユーザの要求に応じてＩＤ情報を手掛かりに必要な画像を抽出し、表示装置への出力やプリント処理、又は記録メディアへの書き込み等を行う」ことにより解決する。
【０００３】
【発明が解決しようとする課題】
ユーザが外出先で写真を撮影するには、カメラを携帯し、撮影したいときに手元から取り出し、撮影を行っていた。期間の長い外出時には、必要に応じて予備のフィルムや電池を一緒に携帯し、交換を行っていた。
【０００４】
近年、デジタルカメラの普及に伴い、記録媒体はかさばるフィルムから薄くて小さいメモリカードに変わった。また、撮影データは消去が可能なので、ユーザが撮影に失敗した画像や気に入らない画像は消去され、無駄にメモリ容量を使うことはなくなった。
【０００５】
しかしながら、デジタルカメラのイメージセンサが進歩し、画素数が飛躍的に増大するのに伴い、撮影データの処理量が増えるためカメラの消費電力が増え、大きな電池容量が必要となるので、必然的にカメラは重くなる。また、画質や望遠をよくするためには光学系も大きくなるのでカメラの筺体を大きくしなければならない。アミューズメントパークなどの施設内では、ユーザが持ち歩く時間が長いので、重くて大きなカメラはとても邪魔になる。
【０００６】
一方、上記公報に記載の発明は、カメラ装置で取得した画像情報を全てデータサーバに転送するので、入場者数の多い大型テーマパークなどの場合、データサーバでは極めて大容量の記憶媒体が必要になる。また、記憶した画像情報を閲覧またはプリント等する場合、特にテーマパークの閉場時では、大勢のユーザが一斉にデータサーバにアクセスするため、データサーバやネットワークにかかる負荷は極めて高いものとなる。上記公報に記載の発明は、このような課題を残している。
【０００７】
本発明は、上記の課題に鑑みてなされたものであり、アミューズメントパークなどの施設で、ユーザが手軽に高画質の画像を得られ、サーバやネットワークの負荷が軽い撮像システムを提供することを目的とする。
【０００８】
【課題を解決するための手段】
上記目的は特許請求の範囲に記載された発明により達成される。例えば、カメラを施設内の撮影スポット等に設置し、サーバを施設の管理室等に設置し、端末装置を施設の休憩所等に設置し、携帯装置を施設の入り口にてユーザに貸与する。この場合ユーザは、携帯装置を持ち歩き、撮影スポット等のカメラにより撮影をし、撮影された画像データはサーバ及び／又は携帯装置に記憶され、休憩所等の端末装置により画像を閲覧する。詳細は実施の形態の欄に記載されている。
【０００９】
【発明の実施の形態】
以下、本発明の実施の形態を、図面を用いて説明する。
【００１０】
図１は本発明の第１実施形態に係る撮像システムを示す図である。図１において、１はユーザがアミューズメントパークなどの施設内で携帯する携帯装置、１１は携帯装置を特定するＩＤ（以下、ＩＤ）をカメラ２へ送信するタイミングを決定する例えばシャッタボタンなどのシャッタ部、１２はＩＤを記憶するＩＤ記憶部、１３はＩＤをカメラへ送信するＩＤ送信部、２は施設内に設置してあるカメラ、２１は携帯装置１から送信されたＩＤを受信するＩＤ受信部、２２はＣＣＤやＣＭＯＳセンサなどの撮像部、２３は撮像部２２で撮影した画像データの例えば圧縮処理やノイズ処理などの画像処理を行い、ＩＤ受信部２１で受信したＩＤと画像データを含むデータを生成する画像処理部、２４は画像処理部２３で生成したデータをサーバへ送信するデータ送信部、３はカメラ２で撮影したデータを保存するサーバ、３１はデータ送信部２４から送信されたデータを受信するデータ受信部、３２はデータ受信部３１で受信したデータを保存する機能と、ＩＤを検索キーとして画像データを検索する機能を持つストレージ部、３３はユーザが撮影した画像データを入手するためにＩＤを入力する入力部、３４はユーザが入力部３３から入力したＩＤを検索キーとしてストレージ部３２が検索した画像データを出力する、例えば、ディスプレイやディスクドライブなどの出力部である。
【００１１】
図２は本発明の第１実施形態に係る撮像システムのフロー図である。図２では施設のゲート、カメラ２、携帯装置１、サーバ３の間のデータの流れを示しており、携帯装置貸出時、撮影時、データ閲覧時、及び携帯装置返却時について示している。
【００１２】
本発明の第１実施形態に係る動作を図１を用いて説明する。ただし、ユーザが携帯装置１を使用する場合には、施設のゲートなどでＩＤが既に携帯装置１に登録されてＩＤ記憶部１２で記憶されているものとする。
【００１３】
まず、ユーザは携帯装置１のシャッタ部１１で撮影タイミングを決定する。シャッタ部１１はシャッタタイミングが決定されるとＩＤ送信部１３へＩＤをカメラ２へ送信するよう指示し、ＩＤ送信部１３はＩＤ記憶部１２で記憶しているＩＤを読み出し、無線通信でカメラ２のＩＤ受信部２１へ該ＩＤを送信する。この無線通信手段としては、ＩＥＥＥ８０２．１１やＢＬＵＥＴＯＯＴＨなどの規格が挙げられる。カメラ２のＩＤ受信部２１はＩＤ送信部１３から該ＩＤを受信し、画像処理部２３へ該ＩＤを送り、画像処理部２３は撮像部２２へ撮影を行うよう指示し、撮像部２２は撮影した画像データを画像処理部２３へ送り、画像処理部２３は撮像部２２からの該画像データと該ＩＤを含むデータを生成し、データ送信部２４へ該データをサーバ３へ送るよう指示し、データ送信部２４は該データをサーバ３のデータ受信部３１へ送信する。サーバ３のデータ受信部３１は該データ送信部２４から受信したデータをストレージ部３２へ送り、ストレージ部３２は該ＩＤを管理キーとして該データを保存する。
【００１４】
ユーザが撮影した画像データを閲覧したり、光ディスクやメモリカードなどのメディアへ画像データを移す場合には、ユーザはサーバ３の入力部３３へ携帯装置を特定するＩＤを入力し、入力部３３は入力された該ＩＤをストレージ部３２へ送り、ストレージ部３２は該ＩＤを検索キーとして画像データを検索し、ディスプレイやディスクドライブなどの出力部３４へ画像データを送り、出力部３４は画像データの表示あるいはメディアへの書き込みを行う。
【００１５】
このように、ユーザは撮影を行う場合、携帯装置のみを携帯すればよく、カメラは施設内に設置しているのでその大きさ、重さにとらわれることがなく、高画質・高機能なカメラをユーザが利用でき、撮影した画像データはサーバに保存されるので保存容量をユーザがあまり気にせず撮影できる。このことにより、アミューズメントパークなどの施設で、ユーザが手軽に、高画質の画像を得られる。
【００１６】
また、シャッタ部１１に自動で一定時間間隔でＩＤを送信するタイミングを決定する機能を持たせれば、ユーザがカメラを意識しない、自然な姿のスナップ撮影を行うことができる。またこの場合、携帯装置１に無線通信オフ手段や電源オフ手段を加え、ユーザが撮影されたくないときにはそれらの手段を使用してＩＤをカメラに送信しないようにしてもよい。
【００１７】
また、カメラ２の画像処理部２３に、例えばＩＤを受信した時刻やカメラ２の位置情報を含むデータを生成する機能を持たせ、サーバにはＩＤ、撮影データ、ＩＤを受信した時刻、カメラ２の位置情報、ファイル名などをデータとして保存すれば、ユーザが撮影データを整理したりアルバム編集したりする場合に作業が簡便になる。
【００１８】
また、携帯装置１は施設内のみの使用としてユーザに貸与し、ユーザが施設を出るときに携帯装置１を返却するようにしてもよく、施設を出るときのゲートで携帯装置１を認識して、ユーザが携帯装置１を施設外へ持ち出そうとすると注意・警告を発する手段を設けてもよい。
【００１９】
また、図１には図示していないが、サーバ３にインターネットに接続する機能を持たせて、予めユーザの自宅コンピュータのＩＰアドレスをサーバ３に設定しておき、ユーザの撮影データがカメラ２からサーバ３へ転送された後、サーバ３が自動的に撮影データをユーザの自宅コンピュータへ転送してもよい。図１１はこの場合の撮影時のデータの流れを示すフロー図である。このことにより、アミューズメントパークの閉園時間が間近になっても多数のユーザが一度にアクセスすることによるサーバ３の負荷を軽減できる。さらに、ユーザの撮影データをすぐユーザのコンピュータに転送するので、サーバ３から転送した撮影データを削除でき、ストレージ部３２の容量を節約できる。
【００２０】
ユーザのコンピュータでなくとも、既存のインターネット事業者が提供しているブリーフケースサービスを利用して、ユーザが登録しているインターネットのブリーフケースに撮影データを転送してもよい。
【００２１】
また、データ送信部２４、及びデータ受信部３１間の通信を双方向で可能とし、図示していないがカメラ２に記憶部を設け、カメラ２が撮影データをサーバ３へ転送する前に転送可能かどうかを知るための通信をカメラ２から行い、転送可能であればサーバ３がその通信の応答としてその旨をカメラ２へ通知し、その後撮影データをカメラ２からサーバ３へ転送してもよい。もし転送不可能であれば、図示していないカメラ２の記憶部で一時撮影データを保持し一定時間経過後に再びカメラ２はサーバ３と通信を行う。サーバ３は転送不可能の旨をカメラ２に通知した後は、一定時間後に転送可能となるように転送のスケジューリングを管理する。図１２はこの場合の撮影時の通信の流れを示すフロー図である。このことにより、撮影データの転送の集中を分散させることができ、ネットワークの負荷を軽減できる。
【００２２】
図３は本発明の第２実施形態に係る撮像システムを示す図である。図３において、図１と同じ機能を有するものには同じ番号を付している。ここで、１４はカメラ２からのデータを受信するデータ受信部、１５はデータ受信部１４で受信したデータを保存する記録媒体である。また、カメラ２のデータ送信部２４は画像処理部２３で生成したデータを携帯装置１のデータ受信部１４へ送信する点とサーバ３がない点が第１実施形態と異なり、その他の動作は第１実施形態と同様であるので説明を省略する。
【００２３】
図４は本発明の第２実施形態に係る撮像システムのフロー図である。図４では施設のゲート、カメラ２、携帯装置１の間のデータの流れを示しており、携帯装置貸出時、撮影時、及び携帯装置返却時について示している。
【００２４】
第２実施形態では、サーバ３とカメラ２・サーバ３間のネットワークを必要としないので低コストで撮像システムが構築でき、かつ、ユーザは手軽に撮影が可能である。
【００２５】
また、携帯装置１にユーザインタフェース機能を追加し、記録媒体１５に保存しているデータを表示・削除できるようにすると記録媒体の容量を有効に利用できる。
【００２６】
図５は本発明の第３実施形態に係る撮像システムを示す図である。図５において、図１、図３と同じ機能を有するものには同じ番号を付している。ここで、画像処理部２３はサーバ３で保存するための第１のデータと、サーバ３に保存するデータよりも解像度を低くした、携帯装置１の記録媒体１５に保存するための第２のデータとの、２種類の解像度の画像データを含むデータを生成する機能を有し、データ送信部２４はサーバ３のデータ受信部３１へ第１のデータを、携帯装置１のデータ受信部１４へ第２のデータを送信する機能を持つ。また、サーバ３の入力部３３は、携帯装置１の記録媒体のデータ読み取り機能を有し、出力部３４へ記録媒体の記録内容を送る機能を有する。第３実施形態では、ユーザが撮影した画像データを閲覧するには、携帯装置１の記録媒体１５のデータをサーバ３の入力部３３から入力し、入力部３３は記録媒体１５に記録された解像度の低い第２のデータを読み取り、出力部３４へ表示する。記録媒体１５のデータを入力部３３へ入力する手段としては、着脱式の記録媒体１５を携帯装置１から外し入力部３３へ挿入する方法や、携帯装置１に記録媒体１５は固定したままで入力部３３との無線通信する方法などが挙げられる。ユーザがフォーカスや写りの良さを確認したい場合にはＩＤや第２のデータを検索キーとしてストレージ部３２へ検索を指示し、ストレージ部３２は検索結果を出力部３４へ出力する。その他の動作は第１実施形態と同様であるので説明を省略する。
【００２７】
図６は本発明の第３実施形態に係る撮像システムのフロー図である。図６では施設のゲート、カメラ２、携帯装置１、サーバ３の間のデータの流れを示しており、携帯装置貸出時、撮影時、データ閲覧時、及び携帯装置返却時について示している。
【００２８】
第３実施形態では、サーバ３と携帯装置１の両方に撮影データを記録するので、ユーザが撮影データを閲覧する場合にストレージ部３２の検索回数が少なくなり、処理が軽くなる。
【００２９】
また、携帯装置１にユーザインタフェース機能を追加し、記録媒体１５に保存しているデータを表示・削除できるようにすると記録媒体の容量を有効に利用でき、記録媒体１５の内容をサーバ３の入力部３３へ入力するときに自動で記録媒体１５の内容とストレージ部３２の内容を自動で同期するようにすれば、仮想的に携帯装置１がサーバ３の端末となり、ユーザが画像の消去のためにサーバ３へ行く必要がなくなる。
【００３０】
図７は本発明の第４実施形態に係る撮像システムを示す図である。図７において、図１乃至図５と同じ機能を有するものには同じ番号を付している。ここで、４は端末であり、ユーザがサーバ３にアクセスするための装置である。４１はユーザがＩＤを入力する入力部、４２は入力部４１で入力したＩＤをサーバ３へ送信するデータ送信部、４３はサーバ３で検索した結果の画像データを受信するデータ受信部、４４はデータ受信部４３で受信した画像データの表示あるいはメディアへの書き込みを行う出力部である。また、サーバ３のデータ受信部３１はカメラ２のデータ送信部２４からデータを受信する機能とともに、端末４のデータ送信部４２からのデータを受信する機能をもつ点、ストレージ部３２で検索した画像データを端末４のデータ受信部４３へ送信するデータ送信部３５を持つ点が第１、第３実施形態と異なる。
【００３１】
図８は本発明の第４実施形態に係る撮像システムのフロー図である。図８では施設のゲート、カメラ２、携帯装置１、サーバ３、端末４の間のデータの流れを示しており、携帯装置貸出時、撮影時、データ閲覧時、及び携帯装置返却時について示している。
【００３２】
第４実施形態では、撮影した画像データをユーザが閲覧するときの動作が異なる。ユーザは施設内に設置された端末４からサーバ３へアクセスを行う。ユーザは携帯装置１の記録媒体１５のデータを端末４の入力部４１から入力し、入力部４１は記録媒体１５に記録された解像度の低い前記第２のデータを読み取り、出力部４４へ表示する。記録媒体１５のデータを入力部４１へ入力する手段としては、着脱式の記録媒体１５を携帯装置１から外し入力部４１へ挿入する方法や、携帯装置１に記録媒体１５は固定したままで入力部４１と無線通信する方法などが挙げられる。ユーザがフォーカスや写りの良さを確認したい場合には入力部４１がＩＤや前記第２のデータを含むデータをデータ送信部４２へ送り、データ送信部４２は該データをサーバ３のデータ受信部３１へ送り、データ受信部３１は該データをストレージ部３２へ送り、ストレージ部３２は該データの中のＩＤや前記第２のデータを検索キーとして検索し、検索結果をデータ送信部３５へ送り、データ送信部３５は該検索結果データを端末４のデータ受信部４３へ送り、データ受信部４３は該検索結果データを出力部４４へ出力する。
【００３３】
このように、サーバ３と端末４のネットワークを形成すると、複数のユーザが撮影データの確認を同時にでき、またサーバ３の負荷も軽減される。
【００３４】
図９は本発明の第５実施形態に係る撮像システムを示す図である。図９において、図１乃至図７と同じ機能を有するものには同じ番号を付している。ここで、５は電話回線などの公衆通信網、６はユーザが所有するコンピュータである。
図１０は本発明の第５実施形態に係る撮像システムのフロー図である。図１０では施設のゲート、カメラ２、携帯装置１、サーバ３、コンピュータ６の間のデータの流れを示しており、携帯装置貸出時、撮影時、携帯装置返却時、データ閲覧時、及びデータ消去時について示している。
【００３５】
第５実施形態では、撮影した画像データをユーザが閲覧するときの動作が第４実施形態と異なる。ユーザはあらかじめＩＤとパスワードが与えられており、例えばＷＷＷブラウザなどでサーバ３にアクセスして撮影した画像データを閲覧する。与えられるＩＤは前記の携帯装置を特定するＩＤと同一でも良いし、新たに別のＩＤを与えても良い。ユーザが撮影した画像データを閲覧する場合にはコンピュータ６から該ＩＤと該パスワードを入力し、コンピュータ６は公衆通信網５を介してサーバ３のデータ受信部３１へ該ＩＤと該パスワードを送り、データ受信部３１は該ＩＤと該パスワードを受け取るとストレージ部３２へ送り、ストレージ部３２は該ＩＤのパスワード認証を行い、認証に合格すれば該ＩＤを検索キーとして撮影データを検索し、検索結果データをデータ送信部３５へ送り、データ送信部３５は該検索結果データを公衆通信網５を介してユーザのコンピュータ６へ送る。認証に不合格であれば認証結果をデータ送信部３５へ送り、データ送信部３５は該認証結果を公衆通信網５を介してユーザのコンピュータ６へ送る。その他の動作は第４実施例と同様であるので説明を省略する。
【００３６】
このように、公衆通信網５とユーザのコンピュータ６を利用することでユーザが施設を利用し終わった場合でも撮影データの閲覧が可能となる。
【００３７】
第１実施形態、第３実施形態乃至第５実施形態では多数のユーザの画像データをサーバ３に保存するので、ストレージ部３２の記録容量が大きいものが必要となるため、保存期間に制限を加えて、一定期間を過ぎたＩＤに関するデータを消去するようにしても良い。
【００３８】
【発明の効果】
以上説明したように、本発明によれば、アミューズメントパークなどの施設で、ユーザが手軽に高画質の画像を得られ、サーバやネットワークの負荷が軽い撮像システムを提供することができる。
【図面の簡単な説明】
【図１】本発明の第１の実施形態に係る撮像システム
【図２】本発明の第１の実施形態に係る撮像システムのフロー図
【図３】本発明の第２の実施形態に係る撮像システム
【図４】本発明の第２の実施形態に係る撮像システムのフロー図
【図５】本発明の第３の実施形態に係る撮像システム
【図６】本発明の第３の実施形態に係る撮像システムのフロー図
【図７】本発明の第４の実施形態に係る撮像システム
【図８】本発明の第４の実施形態に係る撮像システムのフロー図
【図９】本発明の第５の実施形態に係る撮像システム
【図１０】本発明の第５の実施形態に係る撮像システムのフロー図
【図１１】本発明の第１の実施形態に係る撮像システムのフロー図
【図１２】本発明の第１の実施形態に係る撮像システムのフロー図
【符号の説明】
１・・・・携帯装置
１１・・・シャッタ部
１２・・・ＩＤ記憶部
１３・・・ＩＤ送信部
１４・・・データ受信部
１５・・・記録媒体
２・・・・カメラ
２１・・・ＩＤ受信部
２２・・・撮像部
２３・・・画像処理部
２４・・・データ送信部
３・・・・サーバ
３１・・・データ受信部
３２・・・ストレージ部
３３・・・入力部
３４・・・出力部
３５・・・データ送信部
４・・・・端末
４１・・・入力部
４２・・・データ送信部
４３・・・データ受信部
４４・・・出力部
５・・・・公衆通信網
６・・・・コンピュータ
【図１】
2004096270.tif 000003
【図２】
2004096270.tif 000004
【図３】
2004096270.tif 000005
【図４】
2004096270.tif 000006
【図５】
2004096270.tif 000007
【図６】
2004096270.tif 000008
【図７】
2004096270.tif 000009
【図８】
2004096270.tif 000010
【図９】
2004096270.tif 000011
【図１０】
2004096270.tif 000012
【図１１】
2004096270.tif 000013
【図１２】
2004096270.tif 000014